(57)【要約】【課題】  簡易な構成でありながら、基板の表面への裏面用の洗浄液の回り込みを防止しつつ、基板の裏面を適正に処理することが可能な基板処理装置を提供する。【解決手段】  裏面洗浄部４は、ガラス基板１００の搬送方向と直交する方向に配設され、洗浄液を吐出するための多数の吐出口４５がガラス基板１００の搬送方向と直交する方向に列設されたノズル本体４３と、このノズル本体４３に洗浄液を供給するための洗浄液供給管４４と、このノズル本体４３の上部においてガラス基板１００の搬送方向に対して所定の間隔を置いて吐出口４５の両側に配置された一対の支持部４１と、これらの支持部４１に各々接続され、一対の支持部４１から搬送ローラ９によるガラス基板１００の搬送方向の上流側および下流側に各々突出する一対の鍔部４２とを備える。【選択図】        図４
2014069126.tif 000002
【特許請求の範囲】
【請求項１】
基板処理チャンバーと、
前記基板処理チャンバー内において、基板をその主面が水平となる状態で水平方向に搬送する搬送機構と、
前記搬送機構により搬送される基板の表面に第１の処理液を供給して基板の表面を処理する表面処理液供給部と、
前記搬送機構により搬送される基板の下方に配置され、前記基板の裏面に前記第１の処理液とは異なる第２の処理液を供給することにより、前記基板の裏面を処理する裏面処理液供給部と、
を備えた基板処理装置において、
前記裏面処理液供給部は、
前記搬送機構による基板の搬送方向と交差する方向に配設され、前記第２の処理液を吐出する吐出部が前記搬送機構による基板の搬送方向と交差する方向に形成されたノズル本体と、
前記ノズル本体の上部に付設され、前記搬送機構により搬送される基板の裏面に前記吐出部より吐出された第２の処理液を接液させた後に流下させる処理液接液部と、
を備え、
前記処理液接液部は、当該処理液接液部からの第２の処理液の流下量を、前記搬送機構による基板の搬送方向の下流側より、前記搬送機構による基板の搬送方向の上流側で大きくなるように構成される基板処理装置。
【請求項２】
請求項１に記載の基板処理装置において、
前記処理液接液部と前記搬送機構により搬送される基板の裏面との距離は、前記搬送機構による基板の搬送方向の下流側より、前記搬送機構による基板の搬送方向の上流側の方が大きい基板処理装置。
【請求項３】
請求項１または請求項２に記載の基板処理装置において、
前記処理液接液部は、
前記搬送機構による基板の搬送方向に対して所定の間隔を置いて前記吐出部の両側に配置された一対の支持部と、
前記一対の支持部に各々接続され、当該一対の支持部から前記搬送機構による基板の搬送方向の上流側および下流側に各々突出する一対の鍔部と、
を備える基板処理装置。
【請求項４】
請求項３に記載の基板処理装置において、
前記処理液接液部を構成する一対の支持部は同一の高さを有するとともに、一対の鍔部は前記一対の支持部と各々直交する方向に配置され、
前記一対の鍔部が前記搬送機構により搬送される基板の裏面に対して搬送方向の上流側に向けて下方へ傾斜するように、前記裏面処理液供給部全体を傾斜して配置する基板処理装置。
【請求項５】
請求項３または請求項４に記載の基板処理装置において、
前記一対の鍔部の表面と、前記搬送機構により搬送される基板の裏面との交差角度は、０．５度乃至２度である基板処理装置。
【請求項６】
請求項１または請求項２に記載の基板処理装置において、
前記処理液接液部は、
前記搬送機構による基板の搬送方向に対して所定の間隔を置いて前記吐出部の両側に配置された一対の底面部材と、
前記一対の底面部材に各々接続され、当該一対の底面部材から前記搬送機構により搬送される基板の裏面側に向けて立設された一対の壁部材と、
を備える基板処理装置。
【請求項７】
請求項６に記載の基板処理装置において、
前記処理液接液部を構成する一対の壁部材は同一の高さを有するとともに、これら一対の壁部材は前記一対の底面部材と直交する方向に配置され、
前記一対の底面部材が前記搬送機構により搬送される基板の裏面に対して搬送方向の上流側に向けて下方へ傾斜するように、前記裏面処理液供給部全体を傾斜して配置する基板処理装置。
【請求項８】
請求項１から請求項７のいずれかに記載の基板処理装置において、
前記第１の処理液は基板を薬液処理するための薬液であり、前記第２の処理液は基板を洗浄処理するための洗浄液である基板処理装置。
【発明の詳細な説明】
【技術分野】
【０００１】
この発明は、ＬＣＤ（液晶表示装置）やＰＤＰ（プラズマディスプレイ）等のＦＰＤ（フラットパネルディスプレイ）用ガラス基板、有機ＥＬ用ガラス基板、フォトマスク用ガラス基板、光ディスク用基板、半導体ウエハ、太陽電池および電子ペーパ用フィルム基板等の基板を処理液により処理する基板処理装置に関し、特に、基板の表面と裏面とに異なる処理液を供給して基板を処理する基板処理装置に関する。
【背景技術】
【０００２】
例えば、アモルファスシリコン層がその表面に形成されたガラス基板１００に対してレーザーアニールを行う前に、シリコン層表面に形成された酸化膜のエッチングを行う場合においては、基板の表面にはエッチング液としてのフッ酸（フッ化水素酸／ＨＦ）が供給される。一方、基板の裏面には、洗浄液としての純水が供給される。
【０００３】
このように、基板の表面と裏面とに異なる処理液を供給する場合において、搬送ローラにより搬送される基板の裏面に対して、スプレーノズルにより処理液を噴出した場合においては、裏面用の処理液が基板の表面に回り込み、基板の表面の処理が不均一になり、処理不良が発生する。また、基板の表面に処理液のパドルを形成して処理する場合においては、この表面用の処理液のパドルが裏面用の処理液により崩壊され、この場合にも処理不良が発生する。
【０００４】
また、スプレーノズルから処理液を噴出する場合には、その噴出量を安定させる等の目的により、基板に処理液を供給する以前に、予め、スプレーノズルから処理液を噴出しておく必要がある。このような場合には、基板が存在しない状態でスプレーノズルから処理液を噴出することになり、この処理液がチャンバーの天井等に付着し、この処理液が処理中の基板の表面に滴下することにより、処理不良を生ずる原因となる。
【０００５】
特許文献１には、基板処理チャンバー内において基板をその主面が水平となる状態で水平方向に搬送する搬送機構と、下方を向く処理液吐出口が基板の搬送方向と交差する方向に延設されるとともに、処理液吐出口と基板の表面との距離が、それらの間が処理液吐出口より吐出された処理液の液膜により液密状態となる位置に配置された処理液吐出ノズルと、処理液吐出口と対向する位置に処理液の液溜まりを保持する処理液保持面を備え、処理液吐出口と処理液保持面との距離が、それらの間に処理液の液溜まりを形成可能となる位置に配置された液溜まり保持部材とを備えた基板処理装置が開示されている。この特許文献１に記載の基板処理装置においては、処理液吐出ノズルおよび液溜まり保持部材に対して基板の搬送方向の下流側に、基板の裏面に洗浄液を供給する裏面洗浄部が配設されている。この裏面洗浄部は、その上面に洗浄液の液溜まりを保持する洗浄液保持面を備え、この洗浄液の液溜まりを利用して基板の裏面を洗浄する構成を有する。
【先行技術文献】
【特許文献】
【０００６】
【特許文献１】特開２０１１−７１３８５号公報
【発明の開示】
【発明が解決しようとする課題】
【０００７】
上述した特許文献１に記載の基板処理装置によれば、裏面用の処理液が表面側に回り込むことはなく、基板の両面を適正に処理できるものではあるが、基板の裏面の処理効率が悪いという問題がある。すなわち、例えば基板の裏面を洗浄処理する場合においては、その洗浄効率が高くないことから、所定の洗浄効果を得るためには裏面洗浄部を複数個設置する必要が生じ、装置のコストおよび使用する洗浄液のコストが高くなるという問題を生ずる。
【０００８】
この発明は上記課題を解決するためになされたものであり、簡易な構成でありながら、基板の表面への裏面用の洗浄液の回り込みを防止しつつ、基板の裏面を適正に処理することが可能な基板処理装置を提供することを目的とする。
【課題を解決するための手段】
【０００９】
請求項１に記載の発明は、基板処理チャンバーと、前記基板処理チャンバー内において、基板をその主面が水平となる状態で水平方向に搬送する搬送機構と、前記搬送機構により搬送される基板の表面に第１の処理液を供給して基板の表面を処理する表面処理液供給部と、前記搬送機構により搬送される基板の下方に配置され、前記基板の裏面に前記第１の処理液とは異なる第２の処理液を供給することにより、前記基板の裏面を処理する裏面処理液供給部と、を備えた基板処理装置において、前記裏面処理液供給部は、前記搬送機構による基板の搬送方向と交差する方向に配設され、前記第２の処理液を吐出する吐出部が前記搬送機構による基板の搬送方向と交差する方向に形成されたノズル本体と、前記ノズル本体の上部に付設され、前記搬送機構により搬送される基板の裏面に前記吐出部より吐出された第２の処理液を接液させた後に流下させる処理液接液部と、を備え、前記処理液接液部は、当該処理液接液部からの第２の処理液の流下量を、前記搬送機構による基板の搬送方向の下流側より、前記搬送機構による基板の搬送方向の上流側で大きくなるように構成される。
【００１０】
請求項２に記載の発明は、請求項１に記載の発明において、前記処理液接液部と前記搬送機構により搬送される基板の裏面との距離は、前記搬送機構による基板の搬送方向の下流側より、前記搬送機構による基板の搬送方向の上流側の方が大きい。
【００１１】
請求項３に記載の発明は、請求項１または請求項２に記載の発明において、前記処理液接液部は、前記搬送機構による基板の搬送方向に対して所定の間隔を置いて前記吐出部の両側に配置された一対の支持部と、前記一対の支持部に各々接続され、当該一対の支持部から前記搬送機構による基板の搬送方向の上流側および下流側に各々突出する一対の鍔部とを備える。
【００１２】
請求項４に記載の発明は、請求項３に記載の発明において、前記処理液接液部を構成する一対の支持部は同一の高さを有するとともに、一対の鍔部は前記一対の支持部と各々直交する方向に配置され、前記一対の鍔部が前記搬送機構により搬送される基板の裏面に対して搬送方向の上流側に向けて下方へ傾斜するように、前記裏面処理液供給部全体を傾斜して配置する。
【００１３】
請求項５に記載の発明は、請求項３または請求項４に記載の発明において、前記一対の鍔部の表面と、前記搬送機構により搬送される基板の裏面との交差角度は、０．５度乃至２度である。
【００１４】
請求項６に記載の発明は、請求項１または請求項２に記載の発明において、前記処理液接液部は、前記搬送機構による基板の搬送方向に対して所定の間隔を置いて前記吐出部の両側に配置された一対の底面部材と、前記一対の底面部材に各々接続され、当該一対の底面部材から前記搬送機構により搬送される基板の裏面側に向けて立設された一対の壁部材とを備える。
【００１５】
請求項７に記載の発明は、請求項６に記載の発明において、前記処理液接液部を構成する一対の壁部材は同一の高さを有するとともに、これら一対の壁部材は前記一対の底面部材と直交する方向に配置され、前記一対の底面部材が前記搬送機構により搬送される基板の裏面に対して搬送方向の上流側に向けて下方へ傾斜するように、前記裏面処理液供給部全体を傾斜して配置する。
【００１６】
請求項８に記載の発明は、請求項１から請求項７のいずれかに記載の発明において、前記第１の処理液は基板を薬液処理するための薬液であり、前記第２の処理液は基板を洗浄処理するための洗浄液である。
【発明の効果】
【００１７】
請求項１から請求項８に記載の発明によれば、第２の処理液により第１の処理液による基板の表面の処理に悪影響を与えることなく、処理液接液部の作用により形成された第２の処理液により基板の裏面を適正に処理することが可能となる。このとき、処理液接液部からの第２の処理液の流下量を、基板の搬送方向の下流側より上流側で大きくなるように構成されていることから、処理液による処理効果を高めることができ、基板の裏面を十分に処理することが可能となる。
【００１８】
請求項２に記載の発明によれば、処理液接液部と基板の裏面との距離の差により、処理液接液部からの第２の処理液の流下量を、基板の搬送方向の下流側より基板の搬送方向の上流側で大きくすることが可能となる。
【００１９】
請求項３に記載の発明によれば、一対の鍔部の作用により、基板の裏面に吐出部より吐出された第２の処理液を接液させて流下させることが可能となる。
【００２０】
請求項４に記載の発明によれば、シンプルな構成を有する裏面処理液供給部全体を傾斜して配置することにより、処理液接液部からの第２の処理液の流下量を、基板の搬送方向の下流側より基板の搬送方向の上流側で大きくすることが可能となる。
【００２１】
請求項５に記載の発明によれば、基板の搬送方向の下流側からの第２の処理液の流下量と基板の搬送方向の上流側からの第２の処理液の流下量とを適切なものとすることが可能となる。
【００２２】
請求項６に記載の発明によれば、一対の底面部材と一対の壁部材の作用により、基板の裏面に吐出部より吐出された第２の処理液を接液させて流下させることが可能となる。
【００２３】
請求項７に記載の発明によれば、シンプルな構成を有する裏面処理液供給部全体を傾斜して配置することにより、処理液接液部からの第２の処理液の流下量を、基板の搬送方向の下流側より基板の搬送方向の上流側で大きくすることが可能となる。
【００２４】
請求項８に記載の発明によれば、基板の表面を薬液で薬液処理するとともに、基板の裏面を洗浄液により洗浄処理することが可能となる。
【図面の簡単な説明】
【００２５】
【図１】この発明に係る基板処理装置の側面概要図である。
【図２】処理・洗浄ユニット１を拡大して示す側面図である。
【図３】裏面洗浄部４の概要図である。
【図４】裏面洗浄部４と複数の搬送ローラ９により搬送されるガラス基板１００との配置関係を示す側面概要図である。
【図５】この発明に係る裏面洗浄部４によるガラス基板１００の裏面の洗浄処理動作を示す説明図である。
【図６】裏面洗浄部４を水平方向に配置した場合のガラス基板１００の裏面の洗浄処理動作を示す説明図である。
【図７】一対の鍔部４２をガラス基板１００の裏面に対して傾斜するように配置した場合と、ガラス基板１００の裏面に対して平行に配置した場合の洗浄処理結果の差異を示す表である。
【図８】第２実施形態に係る裏面洗浄部４の概要図である。
【図９】第３実施形態に係る裏面洗浄部４の概要図である。
【図１０】第４実施形態に係る裏面洗浄部４の概要図である。
【図１１】第５実施形態に係る裏面洗浄部４の概要図である。
【図１２】第６実施形態に係る裏面洗浄部４の概要図である。
【図１３】他の実施形態に係る基板処理装置の概要図である。
【図１４】さらに他の実施形態に係る基板処理装置の概要図である。
【発明を実施するための形態】
【００２６】
以下、この発明の実施の形態を図面に基づいて説明する。図１は、この発明に係る基板処理装置の側面概要図である。また、図２は、処理・洗浄ユニット１を拡大して示す側面図である。
【００２７】
この基板処理装置は、アモルファスシリコン層がその表面に形成されたガラス基板１００に対してレーザーアニールを行う前に、シリコン層表面に形成された酸化膜のエッチングを行うためのものである。この基板処理装置は、処理チャンバー１０内において、ガラス基板１００をその主面が水平方向となる状態で支持するとともに、このガラス基板１００を水平方向に搬送する複数の搬送ローラ９と、４個の処理・洗浄ユニット１ａ、１ｂ、１ｃ、１ｄ（これらを総称するときには、単に「処理・洗浄ユニット１」という）を備える。
【００２８】
各処理・洗浄ユニット１は、複数の搬送ローラ９により搬送されるガラス基板１００の表面に処理液を供給するための処理液吐出ノズル２と、この処理液吐出ノズル２との間に処理液の液溜まりを形成するための液溜まり保持部材３と、ガラス基板１００の裏面を洗浄するためのこの発明の特徴部分である裏面洗浄部４とを備える。搬送ローラ９により搬送されるガラス基板１００に対し、４個の処理・洗浄ユニット１ａ、１ｂ、１ｃ、１ｄの作用により、順次、その表面への処理液の供給と、その裏面への洗浄液の供給とが実行される。
【００２９】
上述した４個の処理・洗浄ユニット１ａ、１ｂ、１ｃ、１ｄにおける処理液吐出ノズル２からは、処理液として、薬液であるエッチング液が供給される。このようなエッチング液としては、例えば、フッ酸（フッ化水素酸／ＨＦ）が使用される。なお、意図的にガラス基板１００の表面に均一な酸化膜を形成するため、処理・洗浄ユニット１ａにおける処理液吐出ノズル２から、または、処理・洗浄ユニット１ｄにおける処理液吐出ノズル２から、あるいは、処理・洗浄ユニット１ａと１ｄにおける処理液吐出ノズル２から、処理液としてオゾン水を供給してもよい。この処理液吐出ノズルから供給される処理液は、この発明に係る第１処理液として機能する。
【００３０】
また、上述した４個の処理・洗浄ユニット１ａ、１ｂ、１ｃ、１ｄにおける裏面洗浄部４からは、ガラス基板１００の裏面を洗浄処理するための洗浄液が供給される。このような洗浄液としては、例えば、純水が使用される。この洗浄液は、この発明に係る第２の処理液として機能する。
【００３１】
処理液吐出ノズル２は、搬送ローラ９により搬送されるガラス基板１００と対向する下面に、多数の処理液吐出口２１が形成された構成を有する。これらの処理液吐出口２１は、搬送ローラ９により搬送されるガラス基板１００の搬送方向と直交する方向に列設されている。この処理液吐出口２１は、例えば、０．５ｍｍ程度の直径を有し、処理液吐出ノズル２の長手方向（搬送ローラ９により搬送されるガラス基板１００の搬送方向と直交する方向）に、５ｍｍ乃至１０ｍｍ程度のピッチで形成されている。この処理液吐出口２１は、ガラス基板１００の幅方向（搬送ローラ９により搬送されるガラス基板１００の搬送方向と直交する方向）全域にわたって設けられている。この処理液吐出ノズル２の材質としては、金属イオン等が溶出することがなく、処理の清浄性を確保できる、例えば、フッ素樹脂製のものを採用することが好ましい。
【００３２】
ガラス基板１００の処理時には、この処理液吐出口２１から処理液が吐出され、ガラス基板１００の表面に供給される。このとき、処理液吐出口２１と搬送ローラ９により搬送されるガラス基板１００の表面との距離は、それらの間が処理液吐出口２１より吐出された処理液の液膜により液密状態となるように、小さい距離に設定されている。
【００３３】
液溜まり保持部材３は、処理液吐出ノズル２との間に処理液の液溜まりを形成するためのものである。この液溜まり保持部材３は、処理液吐出ノズル２の処理液吐出口２１と対向する位置に、処理液の液溜まりを保持する処理液保持面３１を備える。そして、その処理液保持面３１には、処理液の液溜まり保持用の凹部３２が凹設されている。
【００３４】
この凹部３２は、処理液保持面３１に好適に処理液の液溜まりを保持するために使用される。すなわち、液溜まり保持部材３の材質としては、処理の清浄性を確保できる、処理液吐出ノズル２と同様の、例えば、フッ素樹脂製のものを採用することが好ましい。ここで、フッ素樹脂は処理液をはじく強い撥液性を有する。このため、処理液が液溜まり保持部材３における処理液保持面３１から流下しやすくなる。このような流下を防止するために、処理液保持面３１には凹部３２が形成されている。なお、液溜まり保持部材３の材質として塩化ビニール等の樹脂を使用する場合には、この凹部３２を省略してもよい。
【００３５】
この凹部３２は、液溜まり保持部材３の長手方向（搬送ローラ９により搬送されるガラス基板１００の搬送方向と直交する方向）に延びる形状を有する。この凹部３２は、ガラス基板１００の幅方向（搬送ローラ９により搬送されるガラス基板１００の搬送方向と直交する方向）全域にわたって形成されている。
【００３６】
裏面洗浄部４は、ガラス基板１００の裏面に洗浄液を供給してガラス基板１００の裏面を洗浄するための、この発明に係る裏面処理液供給部として機能するものである。なお、この裏面洗浄部４の構成については、後程、詳細に説明する。
【００３７】
この基板処理装置により基板を処理する場合には、複数の搬送ローラ９により水平方向に搬送されるガラス基板１００の先端が処理・洗浄ユニット１に到達する前に、処理液吐出ノズル２の処理液吐出口２１から少量の処理液を吐出し、予め、処理液吐出ノズル２における処理液吐出口２１と液溜まり保持部材３における処理液保持面３１との間に、処理液の液溜まりを形成しておく。この状態において、さらに搬送ローラ９によりガラス基板１００の搬送を継続すると、ガラス基板１００の先端が、処理液吐出ノズル２と液溜まり保持部材３との間に形成された処理液の液溜まり中に進入する。ガラス基板１００の先端が処理液の液溜まりまで到達すれば、処理液吐出ノズル２から処理液を吐出する。
【００３８】
この状態でさらにガラス基板１００が水平方向に搬送された場合には、処理液吐出ノズル２とガラス基板１００の表面との間に処理液の液膜が形成され、処理液吐出ノズル２とガラス基板１００の表面との間は、処理液の液膜により液密状態となる。そして、処理液吐出ノズル２とガラス基板１００との間を処理液の液膜により液密としたままの状態でガラス基板１００が水平方向に搬送されることにより、処理液吐出ノズル２とガラス基板１００の表面との間が処理液の液膜により液密状態となったまま、ガラス基板１００の表面全域に処理液が供給される。
【００３９】
なお、ガラス基板１００の先端が処理液吐出ノズル２と液溜まり保持部材３との間に形成された処理液の液溜まり中に進入したときには、ガラス基板１００の裏面側にも処理液が到達する。この処理液は、後述するように、裏面洗浄部４によりガラス基板１００の裏面に供給された洗浄液により洗浄される。
【００４０】
複数の搬送ローラ９により水平方向に搬送されるガラス基板１００は、４個の処理・洗浄ユニット１ａ、１ｂ、１ｃ、１ｄにおいて上述した動作を繰り返すことにより、順次、その表面に処理液を供給されて表面をエッチング処理され、また、その裏面に洗浄液を供給されて裏面を洗浄処理される。
【００４１】
次に、ガラス基板１００の裏面に洗浄液を供給してガラス基板１００の裏面を洗浄するためのこの発明の裏面処理液供給部としての裏面洗浄部４の構成について説明する。図３は裏面洗浄部４の概要図である。なお、図３(ａ)は裏面洗浄部４の断面図であり、図３（ｂ）は部分平面図である。また、図４は、裏面洗浄部４と複数の搬送ローラ９により搬送されるガラス基板１００との配置関係を示す側面概要図である。
【００４２】
この裏面洗浄部４は、搬送ローラ９によるガラス基板１００の搬送方向と直交する方向に配設され、洗浄液を吐出するための多数の吐出口４５がガラス基板１００の搬送方向と直交する方向に列設されたノズル本体４３と、このノズル本体４３に洗浄液を供給するための洗浄液供給管４４と、このノズル本体４３の上部において搬送ローラ９によるガラス基板１００の搬送方向に対して所定の間隔を置いて吐出口４５の両側に配置された一対の支持部４１と、これらの支持部４１に各々接続され、一対の支持部４１から搬送ローラ９によるガラス基板１００の搬送方向の上流側および下流側に各々突出する一対の鍔部４２とを備える。
【００４３】
なお、一対の支持部４１と一対の鍔部４２とは、ノズル本体４３の上部に付設され、搬送ローラ９により搬送されるガラス基板１００の裏面に吐出口４５より吐出された洗浄液を接液させた後に流下させるための、この発明に係る処理液接液部として機能する。
【００４４】
図３(ｂ)に示すように、一対の支持部４１の側方には、蓋部材５１が配設されている。この裏面洗浄部４は、左右一対の支持部材５２により支持されている。
【００４５】
一対の支持部４１は同一の高さを有するとともに、一対の鍔部４２は一対の支持部４１と各々直交する方向に配置されている。そして、図４に示すように、一対の鍔部４２が搬送ローラ９により搬送されるガラス基板１００の裏面に対してガラス基板１００の搬送方向の上流側に向けて下方へ傾斜して配置されるように、裏面洗浄部４全体が傾斜した状態で支持部材５２により支持されている。このため、この発明に係る処理液接液部を構成する一対の鍔部４２と搬送ローラ９により搬送されるガラス基板１００の裏面との距離は、搬送ローラ９によるガラス基板１００の搬送方向の下流側（図４に示す右側）より、搬送ローラ９によるガラス基板１００の搬送方向の上流側（図４における左側）の方が大きくなっている。
【００４６】
このように、一対の鍔部４２と搬送ローラ９により搬送されるガラス基板１００の裏面との距離を、搬送ローラ９によるガラス基板１００の搬送方向の下流側より、搬送ローラ９によるガラス基板１００の搬送方向の上流側の方を大きく設定することにより、後述するように、一対の鍔部４２からの洗浄液の流下量が、搬送ローラ９によるガラス基板１００の搬送方向の下流側より、搬送ローラ９によるガラス基板１００の搬送方向の上流側で大きくなる。
【００４７】
次に、このように構成された裏面洗浄部４によるガラス基板１００の裏面の洗浄処理動作について説明する。図５は、この発明に係る裏面洗浄部４によるガラス基板１００の裏面の洗浄処理動作を示す説明図である。
【００４８】
ガラス基板１００の裏面を洗浄するときには、搬送ローラ９により搬送されるガラス基板１００が裏面洗浄部４に到達する前に、ノズル本体４３に形成された吐出口４５より洗浄液を吐出し、一対の鍔部４２の上面に洗浄液の液溜まり１０１を形成しておく。この場合においては、吐出口４５からの洗浄液の吐出を継続してもよく、また、液溜まり１０１ができた時点で吐出口４５からの洗浄液の吐出を停止してもよい。
【００４９】
ガラス基板１００が裏面洗浄部４に到達した状態においては、一対の鍔部４２の作用により、搬送ローラ９により搬送されるガラス基板１００の裏面に吐出口４５より吐出された洗浄液が接触する接液状態となる。そして、この洗浄液は、一対の鍔部４２より流下する。このときには、吐出口４５より洗浄液を連続して吐出させる。
【００５０】
この状態においては、一対の鍔部４２が搬送ローラ９により搬送されるガラス基板１００の裏面に対してガラス基板１００の搬送方向の上流側に向けて下方へ傾斜するように配置されていることから、図５に示すように、一対の鍔部４２とガラス基板１００の裏面との距離が搬送ローラ９によるガラス基板１００の搬送方向の下流側より，搬送ローラ９によるガラス基板１００の搬送方向の上流側で大きくなり、これにより洗浄液の流下量が、搬送ローラ９によるガラス基板１００の搬送方向の下流側より、搬送ローラ９によるガラス基板１００の搬送方向の上流側で大きくなる。このため、吐出口４５から吐出されガラス基板１００の裏面の洗浄に使用されて汚染された洗浄液は、ガラス基板１００の裏面における搬送方向の下流側から上流側に移動した後に、主としてガラス基板１００の搬送方向の上流側の鍔部４２から流下することになる。従って、洗浄液による洗浄処理効果を高めることができ、ガラス基板１００の裏面を十分に洗浄処理することが可能となる。
【００５１】
図６は、図５と比較のため、裏面洗浄部４を水平方向に配置した場合のガラス基板１００の裏面の洗浄処理動作を示す説明図である。
【００５２】
この図に示すように、一対の鍔部４２を搬送ローラ９により搬送されるガラス基板１００の裏面と平行に配置した場合においては、ガラス基板１００の移動に伴って洗浄液はガラス基板１００の搬送方向の下流側に移動し、一対の鍔部４２からの洗浄液の流下量が、搬送ローラ９によるガラス基板１００の搬送方向の上流側より、搬送ローラ９によるガラス基板１００の搬送方向の下流側で大きくなる。このため、吐出口４５から吐出された洗浄液は、ガラス基板１００の裏面における搬送方向の上流側から下流側に移動した後に、一対の鍔部４２から流下することになる。従って、洗浄処理に使用された洗浄液がガラス基板１００の下面に接触した後に、主としてガラス基板１００の搬送方向の下流側の鍔部４２から流下することになり、ガラス基板１００の裏面が洗浄に使用された洗浄液により汚染されることになる。
【００５３】
図７は、一対の鍔部４２をガラス基板１００の裏面に対してガラス基板１００の搬送方向の上流側に向けて下方へ傾斜するように配置した場合と、ガラス基板１００の裏面に対して平行に配置した場合の洗浄処理結果の差異を示す表である。
【００５４】
なお、図７（ａ）は裏面洗浄部４からの洗浄液の流量を毎分１０リットルとした場合を示し、図７（ｂ）は裏面洗浄部４からの洗浄液の流量を毎分２０リットルとした場合を示している。また、この表において、洗浄処理後にガラス基板１００に付着する洗浄液の導電率の単位としてはｍＳ／ｃｍ（ミリジーメンス毎センチメートル）を採用している。この導電率が高いほど、ガラス基板１００に付着する洗浄液において処理液の成分がイオンとして残存していることになり、ガラス基板１００の洗浄効果が低いことを示している。また、この導電率が低い場合には、ガラス基板１００に付着する洗浄液が純水に近いことになり、ガラス基板１００の洗浄効果が高いことを示している。
【００５５】
この表に示すように、鍔部４２とガラス基板１００の裏面との距離をガラス基板１００の搬送方向の上流側と下流側とで同一とした場合には、鍔部４２とガラス基板１００の裏面との距離を変化させても洗浄効果に大きな差異はない。これに対して、一対の鍔部４２をガラス基板１００の裏面に対してガラス基板１００の搬送方向の上流側に向けて下方へ傾斜するように配置した場合には、洗浄効果が飛躍的に向上する。図７（ａ）に示すように洗浄液の流量を毎分１０リットルとした場合には、洗浄効果は約２．７倍となり、図７（ｂ）に示すように洗浄液の流量を毎分２０リットルとした場合には、洗浄効果は約４．４倍となっている。
【００５６】
一対の鍔部４２と搬送ローラ９により搬送されるガラス基板１００の裏面との距離をガラス基板１００の搬送方向の下流側より上流側で大きくするために、一対の鍔部４２をガラス基板１００の裏面に対してガラス基板１００の搬送方向の上流側に向けて下方へ傾斜させる場合に、一対の鍔部４２の表面と搬送ローラ９により搬送されるガラス基板１００の裏面との交差角度は、０．５度乃至２度とすることが好ましい。このように一対の鍔部４２を配置することにより、裏面洗浄部４による洗浄効果を高いものとすることが可能となる。
【００５７】
なお、一対の鍔部４２からの洗浄液の流下量を、搬送ローラ９によるガラス基板１００の搬送方向の下流側より、搬送ローラ９によるガラス基板１００の搬送方向の上流側で大きくするとは、搬送ローラ９によるガラス基板１００の搬送方向の下流側では洗浄液の流下がなく、搬送ローラ９によるガラス基板１００の搬送方向の上流側のみで洗浄液が流下することを含む概念である。
【００５８】
以下、裏面洗浄部４の他の実施形態について説明する。図８は、第２実施形態に係る裏面洗浄部４の概要図である。なお、以下の説明においては、上述した第１実施形態と同様の部材については、同一の符号を付して詳細な説明を省略する。
【００５９】
上述した第１実施形態においては、同一の高さを有する支持部４１に対して鍔部４２を直交する方向に付設し、一対の鍔部４２がガラス基板１００の裏面に対してガラス基板１００の搬送方向の上流側に向けて下方へ傾斜するように裏面洗浄部４全体を傾斜して配置している。これに対して、この第２実施形態においては、一対の支持部４１の高さを、ガラス基板１００の搬送方向の上流側で低く、下流側で高く設定することにより、鍔部４２とガラス基板１００の裏面との距離を、ガラス基板１００の搬送方向の下流側より上流側の方が大きくなるようにしている。
【００６０】
図９は、第３実施形態に係る裏面洗浄部４の概要図である。
【００６１】
この第３実施形態においては、一対の支持部４１に対して、一対の鍔部４２をガラス基板１００の搬送方向の上流側に向けて下方へ傾斜状態で付設することにより、鍔部４２とガラス基板１００の裏面との距離を、ガラス基板１００の搬送方向の下流側より上流側の方が大きくなるようにしている。
【００６２】
図１０は、第４実施形態に係る裏面洗浄部４の概要図である。
【００６３】
上述した第１乃至第３実施形態に係る裏面洗浄部４においては、いずれも、一対の支持部４１と、これらの支持部４１に各々接続され、一対の支持部４１から搬送ローラ９によるガラス基板１００の搬送方向の上流側および下流側に各々突出する一対の鍔部４２とを備え、これらの支持部４１および鍔部４２により、この発明に係る処理液接液部を構成している。これに対して、この第４実施形態に係る裏面洗浄部４においては、一対の底面部材４６と一対の壁部材４７とにより、この発明に係る処理液接液部を構成している。
【００６４】
すなわち、この第４実施形態に係る裏面洗浄部４は、ノズル本体４３の上部において搬送ローラ９によるガラス基板１００の搬送方向に対して所定の間隔を置いて吐出口４５の両側に配置された一対の底面部材４６と、これらの底面部材４６に各々接続され、これら一対の底面部材４６から搬送ローラ９により搬送されるガラス基板１００の裏面側に向けて立設された一対の壁部材４７とを備えている。
【００６５】
この裏面洗浄部４においては、一対の壁部材４７は同一の高さを有するとともに、これら一対の壁部材４７は一対の底面部材４６と直交する方向に配置され、一対の底面部材４６がガラス基板１００の裏面に対してガラス基板１００の搬送方向の上流側に向けて下方へ傾斜して配置されるように、裏面洗浄部４全体が傾斜した状態で、図３(ｂ)に示す支持部材５２により支持されている。このため、一対の壁部材４７と搬送ローラ９により搬送されるガラス基板１００の裏面との距離は、搬送ローラ９によるガラス基板１００の搬送方向の下流側（図１０に示す右側）より、搬送ローラ９によるガラス基板１００の搬送方向の上流側（図１０における左側）の方が大きくなっている。
【００６６】
この第４実施形態に係る裏面洗浄部４においても、第１実施形態に係る裏面洗浄部４と同様、一対の壁部材４７からの洗浄液の流下量が、搬送ローラ９によるガラス基板１００の搬送方向の下流側より、搬送ローラ９によるガラス基板１００の搬送方向の上流側で大きくなる。このため、吐出口４５から吐出されガラス基板１００の裏面の洗浄に使用されて汚染された洗浄液は、ガラス基板１００の裏面における搬送方向の下流側から上流側に移動した後に、主としてガラス基板１００の搬送方向の上流側の壁部材４７から流下することになる。従って、洗浄液による洗浄処理効果を高めることができ、ガラス基板１００の裏面を十分に洗浄処理することが可能となる。
【００６７】
図１１は、第５実施形態に係る裏面洗浄部４の概要図である。
【００６８】
上述した第４実施形態においては、一対の壁部材４７の高さを同一とし、一対の底面部材４６がガラス基板１００の裏面に対してガラス基板１００の搬送方向の上流側に向けて下方へ傾斜するように裏面洗浄部４全体を傾斜して配置している。これに対して、この第５実施形態においては、一対の壁部材４７の高さを、ガラス基板１００の搬送方向の上流側で低く、下流側で高く設定することにより、壁部材４７とガラス基板１００の裏面との距離を、ガラス基板１００の搬送方向の下流側より上流側の方が大きくなるようにしている。
【００６９】
図１２は、第６実施形態に係る裏面洗浄部４の概要図である。
【００７０】
この第６実施形態においては、一対の底面部材４６をノズル本体４３に対してガラス基板１００の搬送方向の上流側に向けて下方へ傾斜する状態で付設することにより、壁部材４７とガラス基板１００の裏面との距離を、ガラス基板１００の搬送方向の下流側より上流側の方が大きくなるようにしている。
【００７１】
次に、基板処理装置の他の実施形態について説明する。図１３は、他の実施形態に係る基板処理装置の概要図である。なお、以下の実施形態においては、ガラス基板１００の表面に対する処理形態が異なっている。
【００７２】
すなわち、図１および図２に示す実施形態においては、複数の搬送ローラ９により搬送されるガラス基板１００の表面に処理液を供給するための処理液吐出ノズル２と、この処理液吐出ノズル２との間に処理液の液溜まりを形成するための液溜まり保持部材３とを利用してガラス基板１００の表面を処理している。これに対して、図１３に示す実施形態においては、複数の搬送ローラ９により搬送されるガラス基板１００の表面に対して、複数のスプレーノズル６１により処理液を供給することで、ガラス基板１００の表面を処理する構成を有する。スプレーノズル６１より供給された処理液は、裏面洗浄部４の上流側に配置されたエアナイフ６２により除去される。そして、ガラス基板１００の裏面が裏面洗浄部４により洗浄処理される。
【００７３】
図１４は、さらに他の実施形態に係る基板処理装置の概要図である。
【００７４】
この図１４に示す実施形態においては、複数の搬送ローラ９により搬送されるガラス基板１００の表面に対して、ノズル６４より処理液を供給し、さらに、ブラシ６３でガラス基板１００の表面を擦ることで、ガラス基板１００の表面を処理する構成を有する。ノズル６４よりブラシ６３を介して供給された処理液は、裏面洗浄部４の上流側に配置されたエアナイフ６２により除去される。そして、ガラス基板１００の裏面が裏面洗浄部４により洗浄処理される。
【００７５】
なお、上述した実施形態においては、ガラス基板１００の表面にエッチング液としてのフッ酸等を供給しているが、この発明はこれに限定されるものではない。例えば、ガラス基板１００に対して現像液を供給することにより現像処理を行う基板処理装置にこの発明を適用してもよい。また、上述した実施形態においては、ガラス基板１００の裏面に、洗浄液としての純水を供給しているが、純水以外の洗浄液を使用してもよい。さらに、ガラス基板１００以外の基板に対して、その表面およびその裏面に、互いに異なるその他の処理液を各々供給する基板処理装置にこの発明を適用することも可能である。
【符号の説明】
【００７６】
１      処理・洗浄ユニット
２      処理液吐出ノズル
３      液溜まり保持部材
４      裏面洗浄部
９      搬送ローラ
１０    処理チャンバー
２１    処理液吐出口
３１    処理液保持面
３２    凹部
４１    支持部
４２    鍔部
４３    ノズル本体
４４    洗浄液供給管
４５    吐出口
４６    底面部材
４７    壁部材
６１    スプレーノズル
６２    エアナイフ
６３    ブラシ
６４    ノズル
１００  ガラス基板
１０１  洗浄液の液溜まり
【図１】
2014069126.tif 000003
【図２】
2014069126.tif 000004
【図３】
2014069126.tif 000005
【図４】
2014069126.tif 000006
【図５】
2014069126.tif 000007
【図６】
2014069126.tif 000008
【図７】
2014069126.tif 000009
【図８】
2014069126.tif 000010
【図９】
2014069126.tif 000011
【図１０】
2014069126.tif 000012
【図１１】
2014069126.tif 000013
【図１２】
2014069126.tif 000014
【図１３】
2014069126.tif 000015
【図１４】
2014069126.tif 000016